(57)【要約】【課題】集積トレイを用いずにカートリッジに集積し、カートリッジに出し入れすることができるフレキシブル光ディスクを提供する。【解決手段】情報記録領域より外周の領域又は内周の領域にＦｅＣｏ、Ｆｅ、Ｃｏ、Ｎｉ等の強磁性体膜を設け、強磁性体膜を電磁石などに吸着させることにより移動できるようにした。【選択図】図１
2009146492.tif 000002
【特許請求の範囲】
【請求項１】
強磁性体膜を設けたことを特徴とするフレキシブル光ディスク。
【請求項２】
前記強磁性体膜は、ＦｅＣｏ、Ｆｅ、Ｃｏ、Ｎｉの少なくとも１つを含むことを特徴とする請求項１に記載のフレキシブル光ディスク。
【請求項３】
前記強磁性体膜は、情報記録領域より外側の領域に設けられていることを特徴とする請求項１又は２に記載のフレキシブル光ディスク。
【請求項４】
前記強磁性体膜は、情報記録領域より内側の領域に設けられていることを特徴とする請求項１又は２に記載のフレキシブル光ディスク。
【請求項５】
請求項１乃至４のいずれか１項に記載のフレキシブル光ディスクの強磁性体膜に吸着自在な電磁石を備え、前記フレキシブル光ディスクを移動させることができることを特徴とするフレキシブル光ディスク移動装置。
【請求項６】
積層された請求項１乃至４のいずれか１項に記載のフレキシブル光ディスクをカウントするディスクカウンタセンサを備えることを特徴とする請求項５に記載のフレキシブル光ディスク移動装置。
【請求項７】
請求項５又は６に記載のフレキシブル光ディスク移動装置を備えることを特徴とする情報記録再生装置。
【請求項８】
前記フレキシブル光ディスクを載置し、前記フレキシブル光ディスクの強磁性体膜を引き付けることができる電磁石を備えるディスク回転安定板を備えることを特徴とする請求項７に記載の情報記録再生装置。
【発明の詳細な説明】
【技術分野】
【０００１】
本発明は、フレキシブル光ディスクに関する。本発明は、フレキシブル光ディスク移動装置と、フレキシブル光ディスク用の記録再生装置とにも関する。
【背景技術】
【０００２】
近年、情報量の増加に伴いハードディスク等の大容量高記録密度媒体の需要が増えている。又、大容量高記録密度媒体は、信頼性、低コスト化についても求められている。光ディスクは、これらの期待に答えることの出来る信頼性を持っており、且つ低コストなためその需要エリアは幅広い。
【０００３】
しかし、ハードディスク等に比べ、光ディスク１枚の記録容量は少ない為、更なる高記録密度化が現在の課題とも言える。ＨＤ  ＤＶＤ（商標）やＢｌｕ−ｒａｙディスク（商標）の様に、記録再生に用いられるレーザーのスポット径を狭めた青色レーザーを使用する高密度な光メディアが開発されている。これらは、ディスク形成においてディスクのパターン面におけるランドプリピット（溝形状）を現行のＤＶＤよりも更に微細化させることにより光ディスクの高密度化を図ることが出来るが、更なる高密度化は現状では大変困難である。
【０００４】
そこで、従来の技術を活かし、更なる高記録密度化のため、ディスク基板その物を薄くしたフレキシブル光ディスクの開発が広く行われている。ディスクの厚みを薄くしても、従来の記録容量をそのまま再現させることが出来れば、１カートリッジに多数枚数充填させることで、単位体積あたりの大容量化を実現させることが出来る。
【０００５】
しかし、フレキシブル光ディスクは従来の光ディスクに比べてきわめて薄いため、従来の光ディスクドライブを全くそのまま使用することは困難である。特許文献１及び特許文献２では、薄い基板とその薄い基板を面ぶれが少なく安定に回転させるためのスタビライザーを組み合わせることにより、フレキシブル光ディスクに記録再生することを可能としている。
【０００６】
また、フレキシブル光ディスクはきわめて薄いためディスク剛性が低く、単体では取り扱いが困難である。そこで、蓋つきの集積トレイに載置してカートリッジに集積し、集積トレイに載置したままカートリッジから取り出し、また、カートリッジに収納することが考案された。
【０００７】
【特許文献１】特開２００３−３３１５６１号公報
【特許文献２】特開２００３―９１９７０号公報
【発明の開示】
【発明が解決しようとする課題】
【０００８】
しかしながら、集積トレイを用いるとコストもかかり、集積時の厚さが集積トレイ分だけ余計に増すため、単位体積あたりの記録容量が減少してしまうといった問題があった。
【０００９】
さらに、フレキシブル光ディスクと集積トレイは共に不導体であるため、静電気が発生しやすく、カートリッジまたは記録再生装置からディスクを脱着する際に、集積トレーとディスクが貼り付きを起こし、ディスク巻き込みの大きな原因となるという問題もあった。
【００１０】
本発明は、このような実情を鑑みてなされたものであり、集積トレイを用いずにカートリッジに集積し、カートリッジに出し入れすることができるフレキシブル光ディスクを提供する。
【００１１】
また、本発明は、このようなフレキシブル光ディスクをカートリッジに対して出し入れし、ドライブ装置に着脱するフレキシブル光ディスク移動装置も提供する。
【００１２】
さらに、本発明は、このようなフレキシブル光ディスク移動装置を備える情報記録再生装置も提供する。
【課題を解決するための手段】
【００１３】
本発明のフレキシブル光ディスクは、強磁性体膜を設けたことを特徴とする。強磁性体膜を電磁石などに吸着させることにより、フレキシブル光ディスクを移動させることができる。
【００１４】
前記強磁性体膜は、好適には、ＦｅＣｏ、Ｆｅ、Ｃｏ、Ｎｉの少なくとも１つを含む。
前記強磁性体膜は、情報記録領域より外側の領域に設けられていてもよい。これにより、フレキシブル光ディスクの外周部が保護され、垂れが抑制される。
【００１５】
前記強磁性体膜は、情報記録領域より内側の領域に設けられていてもよい。
本発明のフレキシブル光ディスク移動装置は、前記フレキシブル光ディスクの強磁性体膜に吸着自在な電磁石を備え、前記フレキシブル光ディスクを移動させることができることを特徴とする。
【００１６】
前記フレキシブル光ディスク移動装置は、積層されたフレキシブル光ディスクをカウントするディスクカウンタセンサを備えてもよい。
【００１７】
本発明の情報記録再生装置は、フレキシブル光ディスク移動装置を備えることを特徴とする。
【００１８】
前記情報記録再生装置は、前記フレキシブル光ディスクを載置し、前記フレキシブル光ディスクの強磁性体膜を引き付けることができる電磁石を備えるディスク回転安定板を備えてもよい。
【発明の効果】
【００１９】
本発明のフレキシブル光ディスクは、集積トレイを用いずにカートリッジに集積し、カートリッジに出し入れすることができる。
【発明を実施するための最良の形態】
【００２０】
＜第１の実施の形態＞
図１は、本発明の第１の実施の形態のフレキシブル光ディスクの上面図及び断面図である。断面図においては、構造を分かりやすくするため、縮尺を強調して描いている。本発明のフレキシブル光ディスクは、厚さ１００μｍのポリカーボネートシートを直径１２０ｍｍの円板状に加工し、直径１５ｍｍのセンタホール１０２を設けたものを基板１０１として備える。基板１０１上の情報記録領域には、色素記録層１０４が設けられている。色素記録層１０４の上には、銀を主成分とする金属反射層１０５が設けられている。基板１０１上の情報記録領域１０３より外側の領域には、強磁性体膜１０７が設けられている。強磁性体膜１０７は、例えば、ＦｅＣｏ、Ｆｅ、Ｃｏ、Ｎｉ等であり、スパッタリング法によって１００μｍ程度に成膜する。金属反射層１０５及び強磁性体膜１０７の上には、銀の腐食を防ぐハードコート層１０６が、例えば、スピンコートによって設けられている。本実施の形態のフレキシブル光ディスクは、外周端に硬度の高い強磁性体膜１０７が設けられているため、外周部が保護され、垂れが抑制される。
【００２１】
図２は、フレキシブル光ディスク移動装置である取り出しアームを使用して第１の実施形態のフレキシブル光ディスクを移動する方法を説明する図である。取り出しアーム１０８は、フレキシブル光ディスクの外周すなわち強磁性体膜１０７と同じ半径の円弧部分を有し、円弧部分には複数の電磁石１０９が配置されている。円弧部分の先端には、後述するディスクカウンタセンサ１１０が設けられている。
【００２２】
電磁石１０９に電圧を印加していない状態で取り出しアーム１０８をフレキシブル光ディスクに近づけ、電磁石１０９をフレキシブル光ディスクの強磁性体膜１０７上に位置させる。電磁石１０９が強磁性体膜１０７に接触したら、電磁石１０９に電圧を印加する。すると、電磁石１０９が磁力を持ち、強磁性体膜１０７は電磁石１０９に吸着する。この状態で取り出しアーム１０８を移動すれば、一緒にフレキシブル光ディスクを移動させることができる。フレキシブル光ディスクが所望の位置に移動したら、電磁石１０９への電圧の印加を中止する。すると、電磁石１０９の磁力はなくなり、強磁性体膜１０７は電磁石１０９から離れ、したがって、フレキシブル光ディスクは取り出しアーム１０８から分離する。このようにして、フレキシブル光ディスクを所望の位置に移動することができる。
【００２３】
図３及び図４は、積層されたフレキシブル光ディスクから所望のフレキシブル光ディスクを取り出す方法を説明する図である。図３において、カートリッジ内などに積層されたフレキシブル光ディスクに取り出しアーム１０８を近付ける。この際、電磁石１０９には電圧を印加しない。
【００２４】
図４に示すように、取り出しアーム１０８の先端にはディスクカウンタセンサ１１０が設けられている。積層されたフレキシブル光ディスクの縁の部分にディスクカウンタセンサ１１０が重なるように取り出しアーム１０８を移動する。その後、取り出しアーム１０８を下方に動かすと、フレキシブル光ディスクが撓り、ディスクカウンタセンサ１１０は、次々に下のフレキシブル光ディスク上に移動していく。この際、ディスクカウンタセンサ１１０は、１つ下のフレキシブル光ディスクに移動するたびに計数を行う。したがって、ディスクカウンタセンサ１１０の計数に基づき、積層されたフレキシブル光ディスクの中の所望のフレキシブル光ディスク上に取り出しアーム１０８を移動させることができる。
【００２５】
所望のフレキシブル光ディスク上に取り出しアーム１０８がきたら、取り出しアーム１０８をフレキシブル光ディスクの内周方向に押し込み、強磁性体膜１０７上に電磁石１０９が位置するようにする。所望のフレキシブル光ディスクの強磁性体膜１０７に電磁石１０９が接触したら、電磁石１０９に電圧を印加し、強磁性体膜１０７を電磁石１０９に吸着させる。この状態で取り出しアーム１０８をフレキシブル光ディスクの外周方向に引き出せば、所望のフレキシブル光ディスクを取り出すことができる。
【００２６】
＜第２の実施の形態＞
図５は、本発明の第２の実施の形態のフレキシブル光ディスクの上面図及び断面図である。断面図においては、構造を分かりやすくするため、縮尺を強調して描いている。本発明のフレキシブル光ディスクは、厚さ１００μｍのポリカーボネートシートを直径１２０ｍｍの円板状に加工し、直径１５ｍｍのセンタホール２０２を設けたものを基板２０１として備える。基板２０１上の情報記録領域には、色素記録層２０４が設けられている。色素記録層２０４の上には、銀を主成分とする金属反射層２０５が設けられている。基板２０１上の情報記録領域２０３より内側の領域には、強磁性体膜２０７が設けられている。強磁性体膜２０７は、例えば、ＦｅＣｏ、Ｆｅ、Ｃｏ、Ｎｉ等であり、スパッタリング法によって１００μｍ程度に成膜する。金属反射層２０５の上には、銀の腐食を防ぐハードコート層２０６が、例えば、スピンコートによって設けられている。
【００２７】
図６は、フレキシブル光ディスク移動装置である取り出しアームを使用して第２の実施形態のフレキシブル光ディスクを移動する方法を説明する図である。取り出しアーム２０８は、例えば直線の棒状であり、先端付近には１つ又は複数の電磁石２０９が配置されている。図６に示す例では、フレキシブル光ディスクのセンタホール２０２の直径と同じ間隔を置いて、フレキシブル光ディスクの強磁性体膜２０７の半径方向の寸法と同じ長さの２個の電磁石２０９が配置されている。
【００２８】
電磁石２０９に電圧を印加していない状態で取り出しアーム２０８をフレキシブル光ディスクに近づけ、電磁石２０９をフレキシブル光ディスクの強磁性体膜２０７上に位置させる。電磁石２０９が強磁性体膜２０７に接触したら、電磁石２０９に電圧を印加する。すると、電磁石２０９が磁力を持ち、強磁性体膜２０７は電磁石２０９に吸着する。この状態で取り出しアーム２０８を移動すれば、一緒にフレキシブル光ディスクを移動させることができる。フレキシブル光ディスクが所望の位置に移動したら、電磁石２０９への電圧の印加を中止する。すると、電磁石２０９の磁力はなくなり、強磁性体膜２０７は電磁石２０９から離れ、したがって、フレキシブル光ディスクは取り出しアーム２０８から分離する。このようにして、フレキシブル光ディスクを所望の位置に移動することができる。
【００２９】
＜実施例＞
上記本発明の第１及び第２の実施の形態のフレキシブル光ディスクの実施例について説明する。
【００３０】
実施例１として以下のような光記録再生可能なフレキシブル光ディスクを作製した。厚さ１００μｍのポリカーボネートシートを直径１２０ｍｍの円板状に加工し、直径１５ｍｍのセンタホール２０２を設けた基板を用意した。前記基板の情報記録領域上に、色素記録層、銀を主成分とする金属反射層を順に積層した。前記基板の情報記録領域より外側、前記基板の中心から半径方向に５６ｍｍ〜６０ｍｍの領域に、スパッタリング法により１００μｍのＦｅＣｏ膜を強磁性体膜として成膜させた。前記金属反射層及び前記強磁性体膜上に銀の腐食を防ぐためにハードコートをスピンコートした。前記強磁性体膜自体のビッカース硬度を測定した結果、４２９．１「Ｈｖ」であった。実施例１のフレキシブル光ディスクは、図１に示すような構造である。
【００３１】
実施例２として以下のような光記録再生可能なフレキシブル光ディスクを作製した。厚さ１００μｍのポリカーボネートシートを直径１２０ｍｍの円板状に加工し、直径１５ｍｍのセンタホール２０２を設けた基板を用意した。前記基板の情報記録領域上に、色素記録層、銀を主成分とする金属反射層を順に積層した。前記基板の情報記録領域より外側、前記基板の中心から半径方向に７．５ｍｍ〜１５ｍｍの領域に、スパッタリング法により１００μｍのＦｅＣｏ膜を強磁性体膜として成膜させた。前記金属反射層上に銀の腐食を防ぐためにハードコートをスピンコートした。前記強磁性体膜自体のビッカース硬度を測定した結果、４２９．１「Ｈｖ」であった。実施例２のフレキシブル光ディスクは、図５に示すような構造である。
【００３２】
実施例１のフレキシブル光ディスクにおいて、図２に示すような取り出しアームを使用して、フレキシブル光ディスクの該終端部を小型電磁石で吸着させ、上下させる動作テストを行った。このときの、小型電磁石の吸着力は約１００Ｎであった。１００回の脱着テストを行った結果、一度もディスクを落とさずに脱着ができた。
【００３３】
同様に、実施例２のフレキシブル光ディスクにおいて、図６に示すような取り出しアームを使用して、フレキシブル光ディスクの内周部を小型電磁石で吸着させ、上下させる動作テストを行った。このときの、小型電磁石の吸着力は約１００Ｎであった。１００回の脱着テストを行った結果、一度もディスクを落とさずに脱着ができた。
【００３４】
２ｍｍ厚のアクリルスペーサを介して３０枚積層した実施例１のフレキシブル光ディスクから所定のフレキシブル光ディスクを取り出しアームによってピックアップするテストを行った。図３及び図４に示すのと同様の状況である。１００回のピックアップテストを行った結果、フレキシブル光ディスクのジャム（巻き込み）を一度も起こさずに、取り出し、収納を行うことに成功した。
【００３５】
続いて、実施例１の外周端に設けた強磁性体膜の垂れ防止効果を確認するテストを行った。比較例として、以下のような光記録再生可能なフレキシブル光ディスクを作製した。厚さ１００μｍのポリカーボネートシートを直径１２０ｍｍの円板状に加工し、直径１５ｍｍのセンタホール２０２を設けた基板を用意した。前記基板の情報記録領域上に、色素記録層、銀を主成分とする金属反射層を順に積層した。前記金属反射層上に銀の腐食を防ぐためにハードコートをスピンコートした。比較例のフレキシブル光ディスクには強磁性体膜を設けていないが、他の構成は実施例１のフレキシブル光ディスクと同様である。
【００３６】
実施例１のフレキシブル光ディスクと比較例のフレキシブル光ディスクとを、室温２５℃、湿度４０％の環境下で、図７に示すように、固定台と２ｋｇの錘によって半分を固定し、固定してから３０秒後の垂れ量を測定した。測定結果を図８のグラフに示す。図８から分かるように、外周端に強磁性体膜を形成していない比較例のフレキシブル光ディスクの垂れ量が３．８ｍｍだったのに対し、強磁性体膜を形成させた実施例１のフレキシブル光ディスクの垂れ量が０．７ｍｍと大幅に低下させることが出来た。
【００３７】
＜まとめ＞
以上のことから、本発明のフレキシブル光ディスクは、外周端又は内周部に強磁性体膜を形成させることで、トレー等を用いずに複数枚のディスクを積層し、出し入れすることが可能になる。また、ディスク外周端に強磁性体膜を形成させると、ディスク外周部を保護し、ディスクの垂れを抑制し、ディスクの引き出し時に起こるジャム（巻き込み）を防止させることができる。
【００３８】
本発明は、本発明のフレキシブル光ディスクを移動させるフレキシブル光ディスク移動装置である取り出しアームとしても実施可能である。
【００３９】
また、本発明は、本発明のフレキシブル光ディスク移動装置を備える情報記録再生装置としても実施可能である。本発明の情報記録再生装置は、例えば、フレキシブル光ディスクを積奏して収納するカートリッジを備え、フレキシブル光ディスク移動装置がカートリッジから所望のフレキシブル光ディスクを取り出し、ドライブ装置に移動させ、また、ドライブ装置からカートリッジに格納するような構成であってもよい。また、ドライブ装置にはフレキシブル光ディスクを載置し、フレキシブル光ディスクの強磁性体膜を引き付ける電磁石を備えるディスク回転安定板（ターンテーブル）を備え、フレキシブル光ディスクの回転安定性を向上させるようにしてもよい。
【産業上の利用可能性】
【００４０】
本発明は、フレキシブル光ディスクに利用可能である。
【図面の簡単な説明】
【００４１】
【図１】本発明の第１の実施の形態のフレキシブル光ディスクの上面図及び断面図である。
【図２】取り出しアームを使用して第１の実施形態のフレキシブル光ディスクを移動する方法を説明する図である。
【図３】積層されたフレキシブル光ディスクから所望のフレキシブル光ディスクを取り出す方法を説明する図である。
【図４】積層されたフレキシブル光ディスクから所望のフレキシブル光ディスクを取り出す方法を説明する図である。
【図５】本発明の第２の実施の形態のフレキシブル光ディスクの上面図及び断面図である。
【図６】取り出しアームを使用して第２の実施形態のフレキシブル光ディスクを移動する方法を説明する図である。
【図７】フレキシブル光ディスクの垂れ量を測定するテストを説明する図である。
【図８】フレキシブル光ディスクの垂れ量の測定結果を示すグラフである。
【符号の説明】
【００４２】
１０１、２０１  基板
１０２、２０２  センタホール
１０３、２０３  情報記録領域
１０４、２０４  色素記録層
１０５、２０５  金属反射層
１０６、２０６  ハードコート層
１０７、２０７  強磁性体膜
１０８、２０８  取り出しアーム
１０９、２０９  電磁石
１１０、２１０  ディスクカウンタセンサ
【図１】
2009146492.tif 000003
【図２】
2009146492.tif 000004
【図３】
2009146492.tif 000005
【図４】
2009146492.tif 000006
【図５】
2009146492.tif 000007
【図６】
2009146492.tif 000008
【図７】
2009146492.tif 000009
【図８】
2009146492.tif 000010